(57)【要約】【課題】  シートに付与された電子ＩＤ手段が画像形成部に到達することによる不具合を未然に防止する。【解決手段】  給紙カセット２１に収納されているシートＳに付与されたＲＦＩＤを、ＲＦＩＤ読み取り部５０で読み取り、その読み取り結果に基づいて、画像形成条件を変更したりする。ＲＦＩＤがシートＳとともに、画像形成部６に送られると、ＲＦＩＤから発信された電波によって画像への影響が出たり、転写ローラや定着ローラを傷めたりすることがある。そこで、ＲＦＩＤ検知手段５１によってＲＦＩＤを検知し、スクレーパ５３によってシートＳから剥離させてＲＦＩＤ収容部５４に回収する。【選択図】      図１
2006313295.tif 000002
【特許請求の範囲】
【請求項１】
データの読み取りが可能で、そのデータを電波によって送受信する電子ＩＤチップ及びアンテナ部を有する電子ＩＤ手段が付与された少なくとも１枚のシートが積載されるシート積載部と、前記シート積載部に収納されたシートの前記電子ＩＤ手段と通信可能な少なくとも１つの電子ＩＤ通信手段と、前記シート積載部からシートを１枚ずつ給紙し搬送するシート給搬送部と、前記シート給搬送部によって搬送されたシートに画像を形成する画像形成部と、を備えた画像形成装置において、
前記シート積載部と前記画像形成部との間に配設されて、シートが前記画像形成部に到達する前にシート上の前記電子ＩＤ手段を回収する電子ＩＤ回収手段を有する、
ことを特徴とする画像形成装置。
【請求項２】
前記シート積載部と前記画像形成部との間でシート上の前記電子ＩＤ手段を検知する電子ＩＤ検知手段と、
前記電子ＩＤ回収手段の動作を制御する制御手段とを備え、
前記制御手段は、
前記電子ＩＤ検知手段がシート上の前記電子ＩＤ手段を検知したときに、前記電子ＩＤ手段が付与されているシートが前記画像形成部に到達する前に、前記電子ＩＤ手段を回収するように前記電子ＩＤ回収手段の動作を制御する、
ことを特徴とする請求項１に記載の画像形成装置。
【請求項３】
前記電子ＩＤ回収手段は、前記電子ＩＤ手段をシートごと回収して電子ＩＤ収容部に収容する、
ことを特徴とする請求項１又は２に記載の画像形成装置。
【請求項４】
前記電子ＩＤ回収手段は、前記電子ＩＤ手段をシートから剥離させて電子ＩＤ収容部に収容する、
ことを特徴とする請求項１又は２に記載の画像形成装置。
【請求項５】
前記電子ＩＤ回収手段は、シートにおける前記電子ＩＤ手段が付与されている部分を切除して電子ＩＤ収容部に収納する、
ことを特徴とする請求項１又は２に記載の画像形成装置。
【請求項６】
前記電子ＩＤ収容部が導電性又は磁性を有する材料により構成されている、
ことを特徴とする請求項１ないし５のいずれか１項に記載の画像形成装置。
【請求項７】
前記電子ＩＤ通信手段と、前記電子ＩＤ検知手段とが兼用されている、
ことを特徴とする請求項２に記載の画像形成装置。
【請求項８】
前記電子ＩＤ通信手段によって前記電子ＩＤ手段から得られた情報に基づいて、画像形成動作を変更する、
ことを特徴とする請求項１ないし７のいずれか１項に記載の画像形成装置。
【発明の詳細な説明】
【技術分野】
【０００１】
本発明は、電子ＩＤ通信手段を備えた複写機，プリンタ，ファクシミリ等の画像形成装置に関する。
【背景技術】
【０００２】
複写機，プリンタ，ファクシミリ等の画像形成装置において、電子ＩＤ手段が付与されたシートを画像形成部に給送し、このシートに画像形成を行う技術が開示されている。
【０００３】
また、特許文献１では、画像形成部においてＲＦＩＤ（Ｒａｄｉｏ  Ｆｒｅｑｕｅｎｃｙ  Ｉｄｅｎｔｉｆｉｒｅ）が破壊されるため、ＲＦＩＤの破壊を避ける印字方法が開示されている。
【０００４】
また、特許文献２には、帯状物のロール体の巻き芯部に配設されたＲＦＩＤに記録された情報に基づいて、プリンタの印字に関する各種設定等を変更する印字方法が開示されている。
【０００５】
【特許文献１】特開２００１−３４１３３９号公報
【特許文献２】特開２００１−３５４３４３号公報
【発明の開示】
【発明が解決しようとする課題】
【０００６】
しかしながら、従来の画像形成装置では、電子ＩＤ手段がシートに付与されたまま、使用可能状態で画像形成部に給送されていたため、特に電子写真方式などで画像形成を行う際、電子ＩＤ手段が応答してしまい、電子ＩＤ手段から電波が発信されることがある。画像形成部内で、電子ＩＤ手段から電波が発信されると、画像への影響が出ることがある。また、直接、画像に影響が出ることがない場合でも、画像形成装置の各種センサの誤検知等の誤動作につながることがある。電子ＩＤ手段は、非接触で情報のやりとりを行うために、直接接触していない部分でも影響が出るおそれがある。
【０００７】
また、シート上では、電子ＩＤ手段が付与されている部分のみの厚さや剛性などが、他の部分と異なることがあり、このため、画像の転写時の不具合が発生したり、定着ローラ等の画像形成のための部品に不具合が発生することがある。
【０００８】
また、シート積載部から繰り出されるシートが、帯状のロール体ではなく、カットシートである場合、上述の特許文献２の、ＲＦＩＤが配設された巻き芯部が給紙部に残るのとは異なり、電子ＩＤ手段が付与された部分をシート積載部に残すことは困難である。
【０００９】
そこで、本発明は、電子ＩＤ手段が付与されたシートが、画像形成部に搬送されることに起因する不具合を防止するようにした画像形成装置を提供することを目的とするものである。
【課題を解決するための手段】
【００１０】
本発明は、データの読み取りが可能で、そのデータを電波によって送受信する電子ＩＤチップ及びアンテナ部を有する電子ＩＤ手段が付与された少なくとも１枚のシートが積載されるシート積載部と、前記シート積載部に収納されたシートの前記電子ＩＤ手段と通信可能な少なくとも１つの電子ＩＤ通信手段と、前記シート積載部からシートを１枚ずつ給紙し搬送するシート給搬送部と、前記シート給搬送部によって搬送されたシートに画像を形成する画像形成部と、を備えた画像形成装置において、前記シート積載部と前記画像形成部との間に配設されて、シートが前記画像形成部に到達する前にシート上の前記電子ＩＤ手段を回収する電子ＩＤ回収手段を有することを特徴とする。
【発明の効果】
【００１１】
本発明によると、シートに付与されている電子ＩＤ手段がシートともに画像形成部に到達する前に、電子ＩＤ回収手段によって電子ＩＤ手段を回収することができるので、電子ＩＤ手段が画像形成部に到達することによる不具合を未然に防止することができる。
【発明を実施するための最良の形態】
【００１２】
以下、図面に沿って、本発明の実施の形態について説明する。なお、同一の図面又は異なる図面において同一の符合を付したものは、同様の構成あるいは同様の作用をなすものであり、これらについては、適宜、重複説明を省略している。
【００１３】
＜実施の形態１＞
図１に、本発明を適用することができる画像形成装置を示す。同図に示す画像形成装置は、電子写真方式の複写機１であり、同図は、この複写機１を正面側、すなわち複写機１の使用時にユーザやサービスマンが位置する側から見た縦断面図に相当する模式図である。
【００１４】
同図を参照して、複写機１の構成及び動作の概略を説明する。
【００１５】
同図に示すように、複写機１は、上部に配設されたリーダ部（画像読取り部）２と、下部に配設されたプリンタ部３とを備えており、さらに、プリンタ部３には、シート給送部４と、シート搬送部５と、画像形成部６と、コントローラ（制御手段）７が設けられている。以下、リーダ部２〜制御部７の順に説明する。なお、シート給送部４とシート搬送部５とを合わせたものが、シート給搬送部に相当する。
【００１６】
リーダ部２は、照明ランプ（走査光学系光源）１１、プラテンガラス１２、開閉可能な原稿押圧板１３、レンズ１４、ＣＣＤ（受光素子）１５、画像処理部１６、メモリ部１７等を有している。原稿を読み取る際には、原稿（不図示）をその画像面を可能に向けてプラテンガラス１２上に載置する。この原稿は、照明ランプ１１によって光照射され、その反射光がレンズ１４を介してＣＣＤ１５に入力される。ＣＣＤ１５で光電変換された画像情報は、画像処理部１６により処理された後、電気的に符号化された電気信号Ｓ１に変換されて、後述するレーザスキャナ３３に伝送される。なお、画像処理部１６にて処理され、符号化された画像情報を一旦、メモリ部１７に記憶させ、コントローラ７からの信号によって、必要に応じてレーザスキャナ３３に伝送することもできる。
【００１７】
シート給送部４は、シートＳを積載収容するシート積載部としての給紙カセット２１と、ピックアップローラ２２と、フィードローラ２３及びリタードローラ２４を有する分離部を備えている。給紙カセット２１内のシートＳは所定のタイミングで昇降／回転するピックアップローラ２２と、分離部との作用によって１枚ずつ分離給送されるようになっている。給紙カセット２１内のシートＳには、図２に示すようにＲＦＩＤ５５が取り付けられており、シートＳに関する様々な情報が記録されている。さらに、給紙カセット２１の底部近傍には、ＲＦＩＤ読み取り部（電子ＩＤ通信手段）５０が配設されており、給紙カセット２１内に収容されたシート上のＲＦＩＤ５５のデータを読み取るようになっている。また、フィードローラ２３とリタードローラ２４のシート搬送方向下流側近傍には給紙センサ２５が設けられており、そこでのシートＳの通過が検出できるように構成されている。また給紙カセット２１と画像形成部６とは、仕切り板２６で仕切られており、給紙カセット２１側は、所定の密閉度で電気的に密閉されたシールド空間を形成している。
【００１８】
シート搬送部５は、搬送ローラ対２７と、レジスト前ローラ対２９及びレジストローラ対３０を有するレジストローラ部とを備えており、さらに、シート給送部４と搬送ローラ対２７との間にＲＦＩＤ検知手段（電子ＩＤ検知手段）５１を備えており、シート給送部４から給送されたシート上のＲＦＩＤ５５の有無を検知することができる。また、ＲＦＩＤ検知手段５１の下流には、比較的半径の小さな屈曲パス５２と、進退自在のスクレーパ（電子ＩＤ回収手段）５３を備えており、ＲＦＩＤ検知手段５１により検知されたＲＦＩＤ５５を引き剥がすことができるようになっている。スクレーパ５３は、図３中の破線位置で待機しており、その近傍をシートＳが通過中に、パス内に進入して、ＲＦＩＤ５５を剥ぎ取る。つまり、ＲＦＩＤ５５は、通常、シートＳより剛性の高い樹脂等の材料で覆われており、かつシートＳに対して剥離容易に取り付けられているため、シートＳが屈曲パス５２を通過するとき、ＲＦＩＤ５５の端部は、シートＳから浮き上がっている。シートＳの先端が、スクレーパ５３の先端近傍を通過したのち、図４のフローチャートに示すように、ソレノイド（不図示）をＯＮすることによりスクレーパ５３をパス内に進入させ、シートＳと浮き上がったＲＦＩＤ５５の間にスクレーパ５３の先端を挿し込むことによってＲＦＩＤ５５をシートＳから容易に引き剥がすことができる。
【００１９】
また、スクレーパ５３がシートＳに当接する際に与える負荷をすべてのシートＳに許容するならば、ＲＦＩＤ５５が付与されていないシートを含め、すべてのシートＳに対し、所定のタイミングでスクレーパ５３を当接させてもよい。
【００２０】
シートＳから引き剥がされたＲＦＩＤ５５は、スクレーパ５３の下方にあるＲＦＩＤ収容部（電子ＩＤ収容部）５４に収容される。ＲＦＩＤ収容部５４は、その周囲が導電性の金属等で構成されており、ＲＦＩＤ５５が反応する電波を遮断している。つまり、ＲＦＩＤ収容部５４の外部からの不要な電波等によってＲＦＩＤ５５が反応し、外部に不要な電波を発することを防いでいる。
【００２１】
一方、ＲＦＩＤ５５が引き剥がされたシートＳは、搬送ローラ対２７により、ガイド板によって構成されるシート搬送路２８を通過した後、ガイド板によって案内され、その後、レジストローラ対３０に導かれるようになっている。その後、シートＳは、レジストローラ対３０に一旦、突き当てられ、シート給紙搬送時に発生する斜行を矯正された後、画像形成部６に搬送される。
【００２２】
画像形成部６は、感光ドラム３１、帯電器３２、レーザスキャナ（露光器）３３、現像器３４、転写帯電器３５ａ、分離帯電器３５ｂ、クリーナ３６等を備えている。画像形成の際には、帯電器３２によって一様に帯電された感光ドラム３１表面に、レーザスキャナ３３からのレーザ光がポリゴンミラー３３ａ、ミラー３３ｂによって折り返されて露光位置ａにおいて照射される。これにより、照射部分の電荷が除去されて、感光ドラム３１上に静電潜像が形成される。こうして感光ドラム上に形成された静電潜像は、その後、現像器３４によってトナー像として顕像化されるようになっている。コントローラ７からの制御信号により、レーザ書き込み位置制御回路を介して、レーザ光の照射位置を変更することが可能であり、感光ドラム３１上の長手方向、いわゆる主走方向の潜像形成位置が変更可能となっている。
【００２３】
感光ドラム上のトナー像は、その後、転写部ｂにおいて、転写帯電器３５ａによりシートＳに転写される。トナー像が転写されたシートＳは、分離帯電器３５ｂにより感光ドラム３１から静電分離された後、搬送ベルト３７によって定着装置３８に搬送されてトナー像の定着が行われ、その後、排出ローラ３９によって排出される。また、定着装置３８と排紙ローラ３９との間の搬送経路中に排紙センサ４０が設けられており、そこでのシートＳの通過が検出できるように構成されている。
【００２４】
なお、本実施の形態においては、プリンタ部３とリーダ部２とは別体であるが、プリンタ部３とリーダ部２とが一体の場合もある。また、プリンタ部３はリーダ部２と別体でも一体でも、レーザスキャナ３３にリーダ部２の処理信号を入力すれば複写機として機能し、ＦＡＸの送信信号を入力すればＦＡＸとして機能する。さらに、パソコンの出力信号を入力すれば、プリンタとしても機能する。
【００２５】
逆に、リーダ部２の画像処理部１６の処理信号を、他のＦＡＸに送信すれば、ＦＡＸとして機能する。また、リーダ部２において、原稿押圧板１３に代えて、２点鎖線で示すような自動原稿送り装置（ＡＤＦ）１８を装着するようにすれば、原稿を自動的に読み取ることもできる。
【００２６】
次に、ＲＦＩＤ５５に関する詳細な説明を行う。
【００２７】
図１では、本発明を実施した複写機１の構成を示されており、シートＳを収容する給紙カセット２１の底部にシートＳ上のＲＦＩＤ５５のデータを読み取るＲＦＩＤ読み取り部５０が送受信機として記載されている。簡単に説明するとシート上に取り付けられたＲＦＩＤ５５があり、ＲＦＩＤ読み取り部５０側にはＲＦＩＤ５５からの情報を読み出すためのリード回路を装備する。シートＳを収納する給紙カセット２１にシートＳが収納されて、給紙カセット内の収納開閉検知センサ（不図示）からの、信号が閉じられたという情報からＲＦＩＤ５５からデータを読み出す処理が動き出す。また、収納開閉検知センサが検知しなくても常時監視することによりシートＳの情報はデータとして入手することが可能である。
【００２８】
ここでＲＦＩＤ５５の構成及び動作の概略について説明する。
【００２９】
図５は、シートＳに埋め込まれたＲＦＩＤ５５の構成図である。ＲＦＩＤ５５は、データを記憶するため電源が切れてもデータを失わないＥＥＰＲＯＭ等のメモリ６１を有している。メモリ６１は容量に応じたアドレスを有しており、アドレス毎に１６ビットのデータ記憶部が構成されている。メモリ制御部６２は、コイル６４からのデータを、変復調部６３を介して送られてきたリーダからのコマンドに従ってメモリ６１に対して、データの読み取り等を行う。
【００３０】
メモリ制御部６２は、変復調部６３から送信されるコマンドに従ってメモリ６１のリード制御を行う。
【００３１】
電源回路６５は外部からの電磁誘導によるコイル６６からの誘導起電力により、ＲＦＩＤ５５の回路に電力を供給している。ＲＦＩＤ５５は図５に示す構成を１チップＩＣに集積している。
【００３２】
メモリ６１は、アドレスが４ビット、データ１６ビットの仕様なので、２５６ビットの容量を有している。メモリ６１のアドレスマップを、例えば図６に示すように、００ｈ番地から０２ｈ番地をＲＦＩＤタグ自身のＩＤに、０３ｈ番地をＲＦＩＤタグが埋め込まれたシートの製造メーカのＩＤに、０４ｈ番地を製造年月に、０５ｈ番地をシートの紙種情報、０６ｈ番地をシートのサイズ情報、０７ｈ番地にシートの厚み情報、０８ｈ番地にシートの色情報、０９ｈ番地にシートのタブ位置情報……というようにあらかじめ決められたアドレスマップに従ってデータのリードを実施すれば、シートの情報を読み出すことができる。
【００３３】
次に、リード回路について説明する。
【００３４】
前述した、ＲＦＩＤ読み取り部５０にはリード回路が実装されており、リード回路は、図７に示すような構成になっている。
【００３５】
リード回路に設けられたリーダコイル７１と図５のＲＦＩＤ５５に形成されたコイル６４との間で、図８に示す電力伝送波及びデータ通信変調波からなる電磁波（無線）を使って電力の伝送及び通信の送受信の両方を行うが、電力伝送波と信号波とを各々別のアンテナにより送信しても問題はない。
【００３６】
図８に示す２７．０２ＭＨｚの電力伝送波Ｗ１は、図５のコイル６６によって受信され、ＲＦＩＤ５５を駆動する電源を供給する。
【００３７】
また、２７．０２ＭＨｚを中心周波数とするデータ通信変調波Ｗ２は、図５のコイル６４によって送受信されＲＦＩＤ５５中のメモリ６１に対してリードアクセスを行う。
【００３８】
複写機１は、シートに埋め込まれたＲＦＩＤ５５から読み取ったデータを基に画像形成の制御の変更を行う。以下に複写機１の制御の変更に関する説明を行う。
【００３９】
前述したように、シート上のＲＦＩＤ５５の情報としては、図６に示したように００ｈ番地から０２ｈ番地をＲＦＩＤタグ自身のＩＤ、０３ｈ番地にシートの製造メーカのＩＤ、０４ｈ番地を製造年月、０５ｈ番地に紙種情報、０６ｈ番地にシートのサイズ情報、０７ｈ番地にシートの厚み情報、０８ｈ番地にシートの色情報が記憶されており（ただし、図６では０７ｈ，０８ｈは省略している。）、これらの情報を、複写機１の電源が投入された後に、シートＳが収納された給紙カセット２１の近傍に配置された、ＲＦＩＤ読み取り部５０により読み出される。
【００４０】
読み出されたデータを基に、コントローラ７で画像形成条件の設定を行う。
【００４１】
まず００ｈから０２ｈ番地のデータはＲＦＩＤ５５自身のＩＤであり、これを読み取ることにより、シートＳの枚数をプリンタ制御回路６で把握することができる。例えばタグのＩＤが２００個読み出されれば、シートＳが２００枚収納されていることが判断できる。その数量を操作部９４（図１参照）の表示部に表示すれば正確なシートＳの残量表示が可能となる。また操作部９４から設定された画像形成モードで必要なシートＳが５００枚以内であれば、そのまま画像形成動作を可能とし、必要なシートＳが５００枚を超えるようであれば、画像形成動作を開始せずに、操作部９４内の表示部にシートＳが不足していること警告表示し、あるいは不足分を演算することにより不足枚数を表示する制御を行う。
【００４２】
またシートのＩＤの読み取りにあたっては、すべてのシートＳのＩＤを読み出す必要はなく、例えば、ＩＤを１０００以上、読み出せた場合は十分にシートがあると判断し、読み取り最大数を設定しておけば、それ以上のＩＤは読み取りを行わなくともよい。
【００４３】
また、給紙カセット２１からシートＳが繰り出される時間間隔とＲＦＩＤ検知手段５１によりＲＦＩＤ５５が検知される時間間隔とを比較し、シートＳの重送や不送りを検知することもできる。特に完全に２枚以上のシートが重なって繰り出される重送（以下、完全重送と称す）が発生した場合でも、完全重送したシートＳには、２つ以上のＩＤが読み出せるので、ＲＦＩＤ５５を用いれば、完全重送の検知が可能となる。
【００４４】
０３ｈ番地の製造メーカのＩＤ、０４ｈ番地の製造年月の情報からは、そのシートＳの製造元、年月を判断し、シートＳが、複写機１のコントローラ７であらかじめ記憶されているデータを基に、推奨できるシートＳであるか又はシートＳが製造されてから時間が経過しすぎて、劣化していないか等を判断し、推奨シートでない場合、あるいは経年時間が大きい場合には操作部９４内の表示部にその旨を表示する制御を行う。
【００４５】
０５ｈ番地からシートＳの紙種情報が読み出され、シートの表面性、弾性、などの情報を読み取ることができる。また０６ｈ番地ではシートＳのサイズ情報、０７ｈ番地からはシートＳの厚み情報が得られ、これらの情報をもとにコントローラ７では画像形成時のシートＳの最適な搬送速度を設定し、シート搬送駆動や、画像形成部６の駆動速度、レーザスキャナ３３の速度制御を行い最適速度で画像形成を行う。また、０５ｈ番地の紙種情報と０７ｈ番地から読み出されたシートの厚み情報からは、シートＳの種類や、厚みに最適な転写条件、具体的には転写帯電器３５ａに供給する電圧値及び電流値を供給できるようにコントローラ７から設定するとともに、シートＳの種類や厚みに最適な定着装置３８の定着温度設定を行う制御をコントローラ７で行う。
【００４６】
また、転写帯電器３５ａのみならず、一次帯電器３２、現像器３４に印加する電圧値や電流値の設定も併せて変えることにより最適画像条件を設定してもよい。
【００４７】
また、０５ｈ番地からシートＳの紙種情報が読み出され認識されたシートＳの種類と、操作部９４等から設定された画像形成モードで設定されたシートＳの種類を比較して、認識されたシートＳの種類と、設定されたシートＳの種類が一致していない場合は、画像形成動作を開始せずに、その旨を表示し、一致している場合は画像形成動作を開始する制御を行う。
【００４８】
また０７ｈ番地から読み出されたシートの厚み情報に関しても、安定した画像の定着を行うための、定着器３８の温度制御や、搬送速度等の変更を行うことができる。さらに、複写機１の排紙ローラ３９の下流にシート後処理装置が接続されていた場合、ステイプル処理の可否等、さらにデータの活用範囲を広くすることもできる。
【００４９】
０８ｈ番地からはシートの色情報が読み出され、例えば、カラーの画像形成装置を使用する場合には、シートＳの下地色の影響により画像形成色が変わってくるために、シートＳの色情報を基に、シートＳの下地色の影響による画像形成部の色見変動を最小限に抑え、最適な画像の色味が得られるような制御が可能となる。
【００５０】
上述の、ＲＦＩＤ５５上の番地、情報の内容については、例示されたものに限定されるものではなく、その他必要な情報を、適当な番地に記録しておけばよい。
【００５１】
＜実施の形態２＞
図９に、実施の形態２の複写機（画像形成装置）１Ａを示す。本実施の形態において、給紙カセット２１に収容されたすべてのシートＳにＲＦＩＤ５５が付与されていなくてもよい。この場合、給紙カセット２１にシート束を収容するとき、最下部にＲＦＩＤ５５が付与されたシートＳを配設する。シート束を給紙カセット２１に収容する際、給紙カセット２１内のＲＦＩＤ読み取り部５０によりＲＦＩＤ５５を常時監視しており、収納されたシート束の種類と順序を認識する。例えば、種類Ａのシート束を１００枚、種類Ｂのシート束を２００枚、種類Ｃのシート束を１００枚、順に積載すると、下から種類Ａ，Ｂ，Ｃの順で、給紙カセット２１内に積載されていることが認識される。このとき、ＲＦＩＤ付きのシートＳは、種類Ａのシート束の最下部、種類Ｂのシート束の最下部、種類Ｃのシート束の最下部に配設されている。つまり、ＲＦＩＤ付きのシートは、合計３枚、給紙カセット２１内に収容されており、複写機１としては、何枚のシートＳが給紙カセット２１内に収容されているか認識することはできない。
【００５２】
複写機１Ａの動作が開始されると、複写機１Ａは、シート種類Ｃの情報に対応した状態で画像形成を行う。そして、シート種類Ｃの情報が記録されたＲＦＩＤ付きシートＳが給紙されると、複写機１Ａは、その次のシートＳが給紙される前に、シート種類Ｂに対応した状態に設定が変更される。ＲＦＩＤ付きのシートが給紙されたとき、画像形成動作を一時停止させてもよい。
【００５３】
また、本実施の形態において、図９に示すように、ＲＦＩＤ検知手段５１が、ＲＦＩＤ５５を検知した場合、ソレノイド（不図示）によってフラッパ（電子ＩＤ回収手段）８１が図９の位置に移動し、シートＳを搬送路８２に導く。ＲＦＩＤ付きシートＳは、搬送ローラ８５によって、搬送路８２を搬送され、排出ローラ８３によってＲＦＩＤ付きシート収容部（電子ＩＤ収容部）８４に排出される。収容積載されたシートＳは、そのまま回収し、ＲＦＩＤ５５内のデータを書き換えることによって、再利用も容易に行うことができる。
【００５４】
なお、画像形成部６と給紙カセット２１とＲＦＩＤ付きシート収容部８４とは、仕切り板２６ａ，２６ｂで仕切られており、給紙カセット２１側、ＲＦＩＤ付きシート収容部８４側は、所定の密閉度で電気的に密閉されたシールド空間を形成している。
【００５５】
＜実施の形態３＞
図１０に、実施の形態３の複写機（画像形成装置）１Ｂを示す。本実施の形態において、ＲＦＩＤ５５は、図１１に示すようにシート端部に付与されており、シート搬送路９１に設けられたカッター手段（電子ＩＤ回収手段）９２により図１１のカットラインＳａに沿ってシートＳの一部と共に切り落とされるようになっている。シート端部近傍であれば、搬送方向前後、左右に関係なく、切り落とすことは可能である。このとき、図１２に示すようにシート端部に突起形状を設け、そこにＲＦＩＤ５５を付与してもよい。そして、カットラインＳｂに沿ってＲＦＩＤ５５が付与された突起部を切り落とすようにする。また、ＲＦＩＤ５５が付与されていないシートＳも付与されたシートと同様にシート端部を切り落とすことも可能である。
【００５６】
また、図１３に示すような、必ずパンチ穴をあけるシートＳは、あらかじめ切り落とす部分Ｓｃが決められているため、その部分ＳｃにＲＦＩＤ５５を埋め込むようにすればよい。
【００５７】
上述の切り落とされたＲＦＩＤ５５を含むシートＳの一部は、ＲＦＩＤ収容部（電子ＩＤ収容部）９３に収容される。
【００５８】
また、上述の実施の形態において、給紙カセット２１内にＲＦＩＤ通信手段を設け、さらに、シートが１枚ずつ搬送される搬送パス中にＲＦＩＤ検知手段を設けていたが、それらを兼用してもよい。つまり、給紙カセット２１内のＲＦＩＤ通信手段のみを使用する場合、ＲＦＩＤ通信手段により、給紙カセット２１内のＲＦＩＤ５５のＩＤを常時監視しており、シートＳが給紙されることにより収容していたシートＳのＩＤが１つ減少したとき、ＲＦＩＤ付きシートＳが搬送されたとしてＲＦＩＤ付きシートが搬送されたときのシーケンスを行う。
【図面の簡単な説明】
【００５９】
【図１】実施の形態１の複写機の構成を正面側から見た模式図である。
【図２】実施の形態１におけるＲＦＩＤ付きシートを示す図である。
【図３】実施の形態１の複写機におけるＲＦＩＤ剥がし部を示す図である。
【図４】実施の形態１において、シートからＲＦＩＤを剥がす動作を説明するフローチャートである。
【図５】ＲＦＩＤの構成を示す図である。
【図６】ＲＦＩＤのメモリ部のアドレスマップを説明する図である。
【図７】ＲＦＩＤに対して無線非接触によってリード制御を行うリード回路のブロック図である。
【図８】ＲＦＩＤのリード動作タイミングを説明する図である。
【図９】実施の形態２の複写機の構成を正面側から見た模式図である。
【図１０】実施の形態３の複写機の構成を正面側から見た模式図である。
【図１１】実施の形態３におけるＲＦＩＤ付きシートを示す図である。
【図１２】実施の形態３における、他のＲＦＩＤ付きシートを示す図である。
【図１３】実施の形態３における、さらに他のＲＦＩＤ付きシートを示す図である。
【符号の説明】
【００６０】
１，１Ａ，１Ｂ
複写機（画像形成装置）
４          シート給送部（シート給搬送部）
５          シート搬送部（シート給搬送部）
６          画像形成部
７          コントローラ（制御手段）
２１        給紙カセット（シート積載部）
５０        ＲＦＩＤ読み取り部（電子ＩＤ通信手段）
５１        ＲＦＩＤ検知手段（電子ＩＤ検知手段）
５３        スクレーパ（電子ＩＤ回収手段）
５４，９３  ＲＦＩＤ収容部（電子ＩＤ収容部）
５５        ＲＦＩＤ（電子ＩＤ手段）
８１        フラッパ（電子ＩＤ回収手段）
８４        ＲＦＩＤ付きシート収容部（電子ＩＤ収容部）
９２        カッター手段（電子ＩＤ回収手段）
Ｐ          シート
【図１】
2006313295.tif 000003
【図２】
2006313295.tif 000004
【図３】
2006313295.tif 000005
【図４】
2006313295.tif 000006
【図５】
2006313295.tif 000007
【図６】
2006313295.tif 000008
【図７】
2006313295.tif 000009
【図８】
2006313295.tif 000010
【図９】
2006313295.tif 000011
【図１０】
2006313295.tif 000012
【図１１】
2006313295.tif 000013
【図１２】
2006313295.tif 000014
【図１３】
2006313295.tif 000015